(57)【特許請求の範囲】
【請求項１】
色信号を２水平同期期間遅延させる遅延素子を含む低域くし形フィルターを用いた隣接成分除去手段と、固定の基準クロックを発振する第１の放送方式用固定発振手段と、磁気テープから再生された映像信号の水平同期周波数に同期し前記固定の基準クロックとは異なる周波数のクロックを発振するｆＨ同期発振手段と、磁気テープに記録されたコントロール信号の周波数より第１の放送方式か否かを判別する方式判別手段と、前記方式判別手段の出力が第１の放送方式を示す場合は前記第１の放送方式用固定発振手段にて発振したクロックを、第１の放送方式以外を示す場合は前記ｆＨ同期発振手段にて発振したクロックを選択し、前記隣接成分除去手段の遅延素子に供給するクロック切り替え手段とを備えたことを特徴とする磁気記録再生装置。
【発明の詳細な説明】
【０００１】
【発明の属する技術分野】
本発明は、第１の放送方式であるＭ−ＰＡＬ方式に対応した磁気記録再生装置でありながら、第２の放送方式であるＰＡＬまたは第３の放送方式であるＮ−ＰＡＬの信号が記録された磁気テープを再生しても色消えを起こすことなく見ることの出来る、簡易型方式変換の機能を有する磁気記録再生装置に関するものである。
【０００２】
【従来の技術】
主にブラジルにおけるカラーテレビジョンの放送方式はＭ−ＰＡＬ方式と呼ばれる水平走査線５２５本、色副搬送波周波数３．５７５６１１４９ＭＨｚのＰＡＬ方式の信号である。従って、この地域にて使用される磁気記録再生装置（ビデオテープレコーダー）は第１の放送方式であるＭ−ＰＡＬ方式が用いられている。
【０００３】
以下に従来の磁気記録再生装置について説明する。
ＶＨＳフォーマットに基づいて記録された磁気テープを再生する際には、色信号処理において隣接成分を除去する必要がある。隣接トラックからのクロストークを除去するための隣接成分除去手段には、色信号を低域変換された状態のまま遅延させ、原信号と、遅延させた信号、それぞれを周波数変換した後に演算し、隣接成分を除去する低域くし形フィルターと、低域色信号を周波数変換したのち遅延させ、演算し、隣接成分を除去する、ベースバンドくし形フィルターがある。
【０００４】
図２は従来の低域くし形フィルターを用いた隣接成分除去手段及び輝度信号処理を示すものである。図２において１は再生された低域変換色信号を周波数変換する第１の周波数変換手段、２は２水平同期期間（２Ｈ）だけ低域色信号を遅延させる遅延素子（ＣＣＤ）を用いた２Ｈ遅延手段、３は２Ｈ遅延手段２にて遅延させた信号を周波数変換する第２の周波数変換手段、４は第１の周波数変換手段１及び第２の周波数変換手段３でそれぞれ変換された信号を用いて隣接成分を除去するくし形フィルター、５は第１の周波数変換手段、２Ｈ遅延手段２、第２の周波数変換手段３、くし形フィルター４を含めた低域くし形フィルターを用いた隣接成分除去手段、６は２Ｈ遅延手段２の遅延素子のためのクロックを発生させる第１の放送方式であるＭ−ＰＡＬ方式に用いる第１の放送方式用固定発振手段、１１は再生されたＦＭ変調輝度信号を復調し、処理を行う輝度信号処理部、１２は磁気テープより再生された信号より低域色信号を抜き取るＬＰＦ（ローパスフィルター）、１３は磁気テープより再生された信号よりＦＭ変調輝度信号を抜き取るＨＰＦ（ハイパスフィルター）である。
【０００５】
以上のように構成された従来の磁気記録再生装置について、以下にその動作について説明する。
【０００６】
まず、磁気テープより再生された信号はＬＰＦ１２及びＨＰＦ１３によって、それぞれ低域変換色信号とＦＭ変調輝度信号に分離される。低域色信号の原信号は第１の周波数変換手段１にてＭ−ＰＡＬの色副搬送波周波数である３．５７５６１１４ＭＨｚの周波数に変換される。また、第１の放送方式用固定発振手段６にて発生したクロック（クロック）を元に２Ｈ遅延手段２にて２水平同期期間の時間だけ遅延させた信号を第２の周波数変換手段３にて同じく周波数変換する。変換された信号はくし形フィルター４にて加算され、隣接成分が除去される。以上のような動作が低域くし形フィルターを用いた隣接成分除去手段５である。
【０００７】
また、ＦＭ変調輝度信号は輝度信号処理部１１で復調され、再生輝度信号として出力される。
【０００８】
【発明が解決しようとする課題】
しかしながら上記の従来の構成では、ＰＡＬ方式（色副搬送波周波数４．４３３６１８７５ＭＨｚ、水平走査線数６２５本）やＮ−ＰＡＬ方式（色副搬送波周波数３．５８２０６２５ＭＨｚ、水平走査線６２５本）が記録された磁気テープを再生した際には、記録されている輝度信号のＦＭ変調周波数がＭ−ＰＡＬ方式と異なるため、正しく復調できない。また、復調することの出来る機能を有していたとしても、ＶＨＳフォーマットに基づいた色信号処理においては、隣接トラックからの影響である隣接成分を除去しなければ、長時間モードのようなガードバンドのない場合や、早送り巻き戻しなどの特殊再生ではちらつきや色相乱れ、色消えが発生してしまうため、ＰＡＬ系の色信号処理ではくし形フィルターと呼ばれる原信号と２水平同期期間（２Ｈ）遅延させた信号を足し合わせ、隣接成分を除去する手段を用いるが、遅延素子のクロックとなる基準発振手段がＭ−ＰＡＬ（３．５７５６１１４９ＭＨｚ）用の第１の放送方式用固定発振手段６しかないため、水平同期周波数の異なるＰＡＬ信号やＮ−ＰＡＬ信号では位相ずれを生じ、色消えをおこしてしまうという問題点を有していた。
【０００９】
これは以下の原因によるものである。
低域に変換された色信号の周波数は水平同期周波数（ｆＨ）を基に、４０．１２５ｆＨとなっている。すなわち、Ｍ−ＰＡＬでは６３１．３３７ＫＨｚ、ＰＡＬまたはＮ−ＰＡＬでは６２６．５６２ＫＨｚとなっている。水平同期信号の異なるＰＡＬやＮ−ＰＡＬの低域色信号をＭ−ＰＡＬの基準発振手段より発生する固定発振周波数を基準として遅延素子で遅延させると、その遅延量は、２／１５．７３４２６４ＫＨｚ  １２７．１１μＳｅｃで、本来ＰＡＬやＮ−ＰＡＬで必要な２／１５．６２５ＫＨｚ＝１２８μＳｅｃに対し、０．８９μＳｅｃ合わない。これを位相差に換算すると原信号と２Ｈ遅延させた信号で約２００°の位相ずれが生じ、そのままではくし形フィルターを通すと色消えが発生するという問題点を有していた。
【００１０】
本発明は上記従来の問題点を解決するもので、基本的には第１の放送方式であるＭ−ＰＡＬ方式に対応し、かつＰＡＬ方式やＮ−ＰＡＬ方式の記録された磁気テープを色消えせずに再生することのできる簡易型方式変換機能の磁気記録再生装置を提供することを目的とする。
【００１１】
【課題を解決するための手段】
この目的を達成するために、本発明の磁気記録再生装置は、色信号を２水平同期期間遅延させる遅延素子を含む低域くし形フィルターを用いた隣接成分除去手段と、固定の基準クロックを発振する第１の放送方式用固定発振手段と、磁気テープから再生された映像信号の水平同期周波数に同期し固定の基準クロックとは異なる周波数のクロックを発振するｆＨ同期発振手段と、磁気テープに記録されたコントロール信号の周波数より第１の放送方式か否かを判別する方式判別手段と、方式判別手段の出力が第１の放送方式を示す場合は第１の放送方式用固定発振手段にて発振したクロックを、第１の放送方式以外を示す場合はｆＨ同期発振手段にて発振したクロックを選択し、隣接成分除去手段の遅延素子に供給するクロック切り替え手段とを備えた構成を有している。
【００１２】
この構成によって、基本的にはＭ−ＰＡＬ方式に対応し、しかもＰＡＬ方式やＮ−ＰＡＬ方式の記録された磁気テープを色消えせずに再生することのできる簡易型方式変換機能を有することができる。
【００１３】
【発明の実施の形態】
本発明の請求項１に記載の発明は、色信号を２水平同期期間遅延させる遅延素子を含む低域くし形フィルターを用いた隣接成分除去手段と、固定の基準クロックを発振する第１の放送方式用固定発振手段と、磁気テープから再生された映像信号の水平同期周波数に同期したクロックを発振するｆＨ同期発振手段と、磁気テープに記録されたコントロール信号の周波数より第１の放送方式か否かを判別する方式判別手段と、前記方式判別手段の出力が第１の放送方式を示す場合は前記第１の放送方式用固定発振手段にて発振したクロックを、第１の放送方式以外を示す場合は前記ｆＨ同期発振手段にて発振したクロックを選択し、隣接成分除去手段の遅延素子に供給するクロック切り替え手段とを備えたことを特徴としたものであり、放送方式を判別し、この結果に応じて２Ｈ遅延手段に供給する基準クロックを切り替えることにより、基本的には第１の放送方式に対応した磁気記録再生装置でありながら、第２の放送方式または第３の放送方式の信号が記録された磁気テープを再生しても色消えを起こすことなく見ることの出来る、簡易型方式変換の機能を実現するという作用を有する。
【００１４】
以下、本発明の実施の形態について図１を用いて説明する。
（実施の形態１）
図１は本発明の磁気記録再生装置の構成を示すブロック図である。図１において１は再生された低域変換色信号を周波数変換する第１の周波数変換手段、２は２水平同期期間（２Ｈ）だけ低域色信号を遅延させる遅延素子（ＣＣＤ）を用いた２Ｈ遅延手段、３は２Ｈ遅延手段２にて遅延させた信号を周波数変換する第２の周波数変換手段、４は第１の周波数変換手段１及び第２の周波数変換手段３でそれぞれ変換された信号を用いて隣接成分を除去するくし形フィルター、５は第１の周波数変換手段１、２Ｈ遅延手段２、第２の周波数変換手段３、くし形フィルター４を含めた低域くし形フィルターを用いた隣接成分除去手段、６は第１の放送方式であるＭ−ＰＡＬ方式に用いる第１の放送方式用固定発振手段で２Ｈ遅延手段２の遅延素子のためのクロックを発生させる。７は映像信号の水平同期周波数に応じて（９０９−４）＊ｆＨのｎ倍（この場合、ｎ＝２とする）のクロックを発生させるｆＨ同期発振手段、８は第１の放送方式用固定発振手段６とｆＨ同期発振手段７のそれぞれで発生したクロックを切り替えるクロック切り替え手段である。９は磁気テープに記録されたコントロール信号を読みとり、その周波数によって、第１の放送方式であるＭ−ＰＡＬ方式のフィールド周波数（６０Ｈｚ）か第２の放送方式であるＰＡＬ方式または第３の放送方式であるＮ−ＰＡＬ方式のフィールド周波数（５０Ｈｚ）かを判断し、放送方式を判別する方式判別手段、１０は方式判別手段９の結果を基に輝度信号処理部１１とクロック切り替え手段８に指令を送る制御部、１１は再生されたＦＭ変調輝度信号を復調し、処理を行う輝度信号処理部である。１２は低域色信号を抜き取るＬＰＦ、１３はＦＭ変調輝度信号を抜き取るＨＰＦである。
【００１５】
以上のように構成された本発明の磁気記録再生装置について、その動作について説明する。
【００１６】
まず、磁気テープを再生する際に同時にその磁気テープに記録されたコントロール信号を方式判別手段９で読み取る。方式判別手段９では読み取ったコントロール信号が６０Ｈｚであれば第１の放送方式であるＭ−ＰＡＬ、５０Ｈｚであれば第２の放送方式であるＰＡＬまたは第３の放送方式であるＮ−ＰＡＬであると判断し、その結果を制御部１０におくる。
【００１７】
また、磁気テープより再生された信号はＬＰＦ１２とＨＰＦ１３によってそれぞれ低域変換色信号とＦＭ変調輝度信号に分離される。輝度信号処理部１１ではＦＭ変調輝度信号が復調され処理されるが、制御部１０より、復調する信号がＭ−ＰＡＬ（同期信号周波数３．４ＭＨｚ）かＰＡＬまたはＮ−ＰＡＬ（同期信号周波数３．８ＭＨｚ）指令を受け取り、それに基づいて、復調処理を行う。また、輝度信号処理部１１はｆＨ同期発振手段７に対して、復調した輝度信号の水平同期信号周波数の情報を与える。
【００１８】
一方、低域変換色信号の原信号は第１の周波数変換手段１にて第１の放送方式であるＭ−ＰＡＬの色副搬送波周波数である３．５７５６１１４ＭＨｚの周波数に変換される。また、制御部１０の指令によってクロック切り替え手段８が切り替えられ、Ｍ−ＰＡＬであれば第１の放送方式用固定発振手段６によって発生したクロックが、ＰＡＬまたはＮ−ＰＡＬであればｆＨ同期発振手段７によって発生したクロックが２Ｈ遅延手段２に送られ、このクロックを基準として、２水平同期期間の時間だけ遅延させる。従って、Ｍ−ＰＡＬの場合、２／１５．７３４２６４ＫＨｚ  １２７．１１μＳｅｃ、ＰＡＬまたはＮ−ＰＡＬの場合、２／１５．６２５ＫＨｚ＝１２８μＳｅｃだけ遅延させることになる。遅延させた信号は第２の周波数変換手段３にて同じく周波数変換する。変換された信号は原信号と位相差を発生することなく、くし形フィルター４にて加算され、隣接成分を除去することができる。以上のような動作をまとめて低域くし形フィルターを用いた隣接成分除去手段５を構成している。
【００１９】
従って、第２の放送方式であるＰＡＬ方式や第３の放送方式であるＮ−ＰＡＬ方式のように、水平同期周波数の異なる信号のテープを再生しても、低域くし形フィルターによる隣接成分除去手段５を用いた磁気記録再生装置を用いて、色消えを発生することなく再生できる。
【００２０】
この時出力される映像信号はフィールド周波数５０Ｈｚ（水平走査線数６２５本）、色副搬送波周波数３．５７５６１１４９ＭＨｚの疑似Ｍ−ＰＡＬ信号に変換されることになる。
【００２１】
Ｍ−ＰＡＬ対応したＴＶでは、Ｍ−ＰＡＬとＮＴＳＣの２方式、またはＭ−ＰＡＬ、Ｎ−ＰＡＬ及びＮＴＳＣの３方式を映すことの可能なものがあるが、このうち後者の３方式のモニターを用いて、本発明の磁気記録再生装置の映像出力をつなぎ、ＴＶのカラーテレビジョン方式をＭ−ＰＡＬ方式に選択する事により、ＰＡＬ方式またはＮ−ＰＡＬ方式のテープを色消え無しに再生できる。また、ＴＶによっては方式の選択を自動にすることで自動的に、Ｍ−ＰＡＬ方式に切り替わるものもある。尚、この時に再生された信号は前記の通り、疑似Ｍ−ＰＡＬ信号として出力されるが、３方式のモニターでは水平走査線の違いをＴＶ側で吸収し、正常に同期がかかった状態で見ることができ、また正常に色がついた状態で写すことができる。
【００２２】
以上のように本実施の形態によれば、基本的には第１の放送方式であるＭ−ＰＡＬ方式に対応した磁気記録再生装置でありながら、第２の放送方式であるＰＡＬ方式または第３の放送方式であるＮ−ＰＡＬ方式によって記録された磁気テープを再生するための簡易型方式変換の機能を有した磁気記録再生装置を得ることができる。
【００２３】
【発明の効果】
以上のように本発明は、基本的には第１の放送方式であるＭ−ＰＡＬに対応した低域くし形フィルターによる隣接成分除去手段を用いた磁気記録再生装置でありながら、第２の放送方式であるＰＡＬ方式または第３の放送方式であるＮ−ＰＡＬ方式の記録された磁気テープを色消え等を起こさずに再生することのできる簡易型方式変換機能を有するという優れた効果が得られる。
【図面の簡単な説明】
【図１】本発明の実施の形態１における磁気記録再生装置の構成を示すブロック図
【図２】従来の磁気記録再生装置の構成を示すブロック図
【符号の説明】
５  低域くし形フィルターを用いた隣接成分除去手段
６  第１の放送方式用固定発振手段
７  ｆＨ同期発振手段
８  クロック切り替え手段
９  方式判別手段
【図１】
0003565016.tif 000002
【図２】
0003565016.tif 000003